(57)【要約】【課題】利用者がペットを連れて乗りかごに乗車した場合に、後から乗車する他の利用者にペット臭による不快感を与えることのないエレベータを提供する。【解決手段】乗りかご１１内にペット釦１７と空気清浄装置１９を設置しておく。ペット連れの利用者が乗りかご１１に乗車してペット釦１７を押下操作すると、各階の乗り場に設けられたペット運転灯が点灯してペットが乗車していることが表示される。その際、ペット運転灯の点灯中に空気清浄装置１９が駆動されて乗りかご１１内の空気清浄が行われる。これにより、後から乗り込む他の利用者にペット臭による不快感を与えることがなくなる。【選択図】      図１
2005255276.tif 000002
【特許請求の範囲】
【請求項１】
乗りかご内にペット連れ利用者用に設置された特定の釦と、
上記乗りかご内の空気を清浄する空気清浄手段と、
上記特定の釦が操作されてから上記乗りかごが目的階へ到着するまでの間、上記乗りかご内にペットが乗車していることを各階の乗り場に表示する表示手段と、
この表示手段に同期させて上記空気清浄手段を駆動制御する制御手段と
を具備したことを特徴とするエレベータ。
【請求項２】
上記制御手段は、上記表示手段によるペット乗車状態の表示後、上記乗りかごが目的階に向かって減速を開始したときに上記空気清浄手段を駆動し、その目的階に到着して戸閉を完了したときに上記空気清浄手段の駆動を停止制御することを特徴とする請求項１記載のエレベータ。
【請求項３】
上記制御手段は、上記表示手段によるペット乗車状態の表示後、上記乗りかごが目的階に到着して戸開している間、上記空気清浄手段を駆動することを特徴とする請求項１記載のエレベータ。
【請求項４】
上記制御手段は、上記表示手段によるペット乗車状態の表示後、上記乗りかごが目的階に到着して戸閉を完了したとき、所定の時間だけ戸閉状態を維持し、その間に上記空気清浄手段を駆動し、上記所定の時間が経過したときに上記空気清浄手段の駆動を停止制御することを特徴とする請求項１記載のエレベータ。
【請求項５】
上記乗りかごが目的階に到着したときに、空気清浄のために戸閉している旨を当該目的階の乗り場に通知する通知手段をさらに具備したことを特徴とする請求項４記載のエレベータ。
【発明の詳細な説明】
【技術分野】
【０００１】
本発明は、マンション等のビルに設置されたエレベータに係り、特に犬や猫などのペットを連れた乗車を考慮したエレベータに関する。
【背景技術】
【０００２】
近年のペットブームの影響で、マンション等のビルに設置されたエレベータにおいて、利用者が犬や猫などのペットを連れて乗りかごに乗り込む機会が多くなってきた。この場合、通常はペットの有無に関係なく多数の利用者が同じエレベータを共用しているため、ペットを連れて乗車すると他の利用者に迷惑をかけてしまうことになる。
【０００３】
従来、このような問題を解消する方法として、例えばペットが乗車していることを各階の乗り場に表示したり、ペットが乗車している乗りかごを目的階へ直行させて途中で他人が乗り合わせないように運転制御するなどの対策が考えられている（例えば特許文献１、２参照）。
【特許文献１】特開２００１−３２２７７５号公報
【特許文献２】特開２００１−２３３５５４号公報
【発明の開示】
【発明が解決しようとする課題】
【０００４】
上述したように、従来、ペットが乗車していることを各階の乗り場に知らしめたり、乗りかごを目的階へ直行させるなどして、他の利用者に迷惑をかけないような対策がなされていた。
【０００５】
しかしながら、ペットを連れて乗りかごに乗車すると、そのペットの臭いが乗りかご内に残ってしまい、後からその乗りかごに乗車する利用者に不快感を与えてしまうなどの問題がある。
【０００６】
本発明は上記のような点に鑑みなされたもので、利用者がペットを連れて乗りかごに乗車した場合に、後から乗車する他の利用者にペット臭による不快感を与えることのないエレベータを提供することを目的とする。
【課題を解決するための手段】
【０００７】
本発明のエレベータは、乗りかご内にペット連れ利用者用に設置された特定の釦と、上記乗りかご内の空気を清浄する空気清浄手段と、上記特定の釦が操作されてから上記乗りかごが目的階へ到着するまでの間、上記乗りかご内にペットが乗車していることを各階の乗り場に表示する表示手段と、この表示手段に同期させて上記空気清浄手段を駆動制御する制御手段とを具備して構成される。
【０００８】
このような構成によれば、乗りかご内に設置された特定の釦の操作に伴い、各階の乗り場にペットが乗車していることが表示される。その際、ペット乗車状態の表示に同期して乗りかご内の空気清浄が行われるので、後から乗り込む他の利用者にペット臭による不快感を与えることがなくなる。
【０００９】
また、上記構成のエレベータにおいて、上記制御手段は、上記表示手段によるペット乗車状態の表示後、上記乗りかごが目的階に向かって減速を開始したときに上記空気清浄手段を駆動し、その目的階に到着して戸閉を完了したときに上記空気清浄手段の駆動を停止制御することを特徴とする。
【００１０】
このような構成によれば、乗りかごが目的階に到着する手前で空気清浄手段が駆動され、目的階に到着して戸閉完了したときに、その駆動が停止制御される。したがって、ペット乗車状態の表示中に常に空気清浄を行う場合に比べて、無駄な電力を抑えてペット臭の消臭を効率的に行うことができる。
【００１１】
また、上記構成のエレベータにおいて、上記制御手段は、上記表示手段によるペット乗車状態の表示後、上記乗りかごが目的階に到着して戸開している間、上記空気清浄手段を駆動することを特徴とする。
【００１２】
このような構成によれば、乗りかごが目的階に到着して戸開している間に空気清浄を行うことで、ペット乗車状態の表示中の間、常に空気清浄を行う場合に比べて、無駄な電力を抑えてペット臭を消臭することができる。
【００１３】
また、上記構成のエレベータにおいて、上記制御手段は、上記表示手段によるペット乗車状態の表示後、上記乗りかごが目的階に到着して戸閉を完了したとき、所定の時間だけ戸閉状態を維持し、その間に上記空気清浄手段を駆動し、上記所定の時間が経過したときに上記空気清浄手段の駆動を停止制御することを特徴とする。
【００１４】
このような構成によれば、乗りかごが目的階に到着して戸閉完了した後に、所定の時間だけ戸閉状態を維持して、その間に空気清浄を行うことで、ペット乗車状態の表示中の間、常に空気清浄を行う場合に比べて、無駄な電力を抑えてペット臭を消臭することができる。
【００１５】
この場合、乗りかごが乗り場に到着しても、空気清浄のために直ぐに乗車することができないため、乗りかごが乗り場に到着したときに、空気清浄のために戸閉している旨を当該目的階の乗り場で待つ利用者に通知することが好ましい。
【発明の効果】
【００１６】
本発明によれば、乗りかご内に設置された特定の釦の操作により各階の乗り場にペットが乗車していることを表示したとき、その表示に同期して乗りかご内の空気清浄を行うようにしたことで、乗りかご内に残るペット臭を消臭することができ、後から乗り込む他の利用者にペット臭による不快感を与えることがなくなる。
【発明を実施するための最良の形態】
【００１７】
以下、図面を参照して本発明の実施形態を説明する。
【００１８】
（第１の実施形態）
図１は本発明の第１の実施形態におけるエレベータに用いられる乗りかご内の構成を示す図であり、図中の１１はその乗りかごを示している。
【００１９】
乗りかご１１の正面１１ａには、利用者が乗りかご１１内に出入りするためのかごドア１２が設けられ、そのかごドア１２の隣に利用者によって操作される操作パネル１３が設けられている。この操作パネル１３には、かごドア１２の戸開を指示するための戸開釦１４、かごドア１２の戸閉を指示するための戸閉釦１５、行先階を指示するための行先階釦１６の他に、犬や猫などのペットを連れて乗車していることを明示するためのペット連れ利用者用のペット釦１７が備えられている。
【００２０】
また、乗りかご１１の天井１１ｂには、乗りかご１１内を所定の照度で照らす照明機器１８が設けられ、さらに、この天井１１ｂの所定の位置に空気清浄装置１９の清浄口１９ａが設けられている。
【００２１】
空気清浄装置１９は、例えば乗りかご１１の天井面に設置されており、後述するエレベータの制御装置３１（図３参照）により所定のタイミングで駆動されて、乗りかご１１内の空気を清浄する。
【００２２】
なお、この空気清浄装置１９としては、例えばフィルタを用いたものや、除菌イオンを発生するものなどがあり、本発明ではその清浄方法について特に限定されるものではないが、ペットの臭いを速やかに消すために消臭効果の高いものが望ましい。また、この空気清浄装置１９の設置場所についても、乗りかご１１の天井面に限らず、例えば側面などであっても良く、要は効果的に空気清浄できる場所であれば、乗りかご１１のどこに設置されていても良い。
【００２３】
図２は同実施形態におけるエレベータの乗り場の構成を示す図であり、図中の２１はエレベータの乗り場（ホール）であり、２２はそこに設置された乗り場ドアを示している。なお、各階毎に同様の構成になっている。
【００２４】
乗り場ドア２２は、乗りかご１１の応答に合わせてかごドア１２と連動して開閉動作する。この乗り場ドア２２の隣に操作パネル２３が設置されており、その操作パネル２３に上方向と下方向の乗り場呼び釦２４が設けられている。
【００２５】
また、この乗り場ドア２２の近傍には、乗りかご１１内のペット釦１７の操作によって点灯するペット運転灯２５や、各種音声メッセージを出力するためのスピーカ２６が設けられている。
【００２６】
図３は同実施形態におけるエレベータの全体構成を示す図である。
【００２７】
例えばビルの最上部（ペントハウス）などに、「制御盤」と呼ばれるエレベータの制御装置３１が設けられている。この制御装置３１はコンピュータによって構成され、かご呼び（乗りかご１１内の行先階釦１６の操作による呼び登録）や乗り場呼び（乗り場呼び釦２４の操作による呼び登録）に対する応答処理や、乗りかご１１の速度制御処理など、エレベータの運転に関わる全体の制御を行っている。
【００２８】
図中の３２は巻上機、３３はメインロープ、３４はカウンタウェイト、３５は昇降路である。巻上機３２は、制御装置３１からの駆動信号を受けて回転駆動し、メインロープ３３を介してかご１１をカウンタウェイト３４と共につるべ式に昇降路３５内を昇降動作させる。
【００２９】
また、乗りかご１１内に設けられた操作パネル１３の戸開釦１４、戸閉釦１５、行先階釦１６、ペット釦１７、そして、空気清浄装置１９はそれぞれケーブルを介して制御装置３１と電気的に接続されており、かごドア１２の開閉状態などを含む乗りかご１１の状態が制御装置３１によって常に監視されている。
【００３０】
同様に、各階の乗り場２１に設けられた操作パネル２３の乗り場呼び釦２４やペット運転灯２５、スピーカ２６についても、それぞれケーブルを介して制御装置３１と電気的に接続されており、乗り場ドア２２の開閉状態などを含む各階の乗り場２１の状態が制御装置３１によって常に監視されている。
【００３１】
次に、このような構成のエレベータの動作について、フローチャートを参照しながら説明する。なお、以下の各フローチャートに示される各処理は、コンピュータである制御装置３１がプログラムを読み込むことで、そのプログラムに記述された手順に従って実行される。
【００３２】
図４および図５は本発明の第１の実施形態におけるエレベータの動作を示すフローチャートであり、図４は乗り場２１に設けられたペット運転灯２５の点灯処理、図５は乗りかご１１に設けられた空気清浄装置１９の駆動処理を示している。
【００３３】
まず、図４に示すように、制御装置３１は、乗りかご１１内の操作パネル１３に設けられたペット釦１７が押下されたか否かを判断する（ステップＡ１１）。乗りかご１１に乗車した利用者が犬や猫などのペットを連れている場合には、このペット釦１７を押すことが義務付けられている。
【００３４】
ペット釦１７が押下された場合（ステップＡ１１のＹｅｓ）、制御装置３１は、続いて所定時間内に行先階釦１６が押下されたか否かを判断する（ステップＡ１２）。所定時間内に行先階釦１６が押下された場合には（ステップＡ１２のＹｅｓ）、制御装置３１は、ペット連れの利用者が行先階釦１６を押下したものと判断し、乗りかご１１が行先階釦１６にて指定された目的階に到着するまでの間、各階の乗り場２１に設置されたペット運転灯２５を点灯駆動して、ペットが乗車している旨を乗り場２１で待つ他の利用者に知らしめる（ステップＡ１３〜Ａ１５）。
【００３５】
詳しくは、ペット連れの利用者が行先階釦１６にて指定した階床を目的階として登録した後、各階の乗り場２１に設置されたペット運転灯２５を点灯駆動する（ステップＡ１３）。そして、乗りかご１１のかごドア１２を戸閉して目的階へ所定の速度で運転し、その乗りかご１１が目的階に到着したとき（ステップＡ１４のＹｅｓ）、ペット運転灯２５を消灯する（ステップＡ１５）。
【００３６】
ここで、第１の実施形態では、このペット運転灯２５に同期させて空気清浄装置１９を駆動制御することを特徴としている。
【００３７】
すなわち、図５に示すように、制御装置３１は、ペット運転灯２５が点灯状態にあるとき、つまり、乗りかご１１内にペット連れの利用者が乗っているときに（ステップＢ１１のＹｅｓ）、空気清浄装置１９に対して駆動信号を出力して、乗りかご１１が目的階に到着するまでの間、乗りかご１１内の空気清浄を連続的に行う（ステップＢ１２）。
【００３８】
そして、乗りかご１１が目的階に到着して、それに伴いペット運転灯２５が消灯したときのタイミングで（ステップＢ１１のＮｏ）、制御装置３１は空気清浄装置１９に対して駆動停止信号を出力して空気清浄装置１９の空気清浄動作を停止する（ステップＢ１３）。
【００３９】
このように、ペット運転灯２５に同期させて、ペット運転灯２５が点灯中の間、空気清浄装置１９を駆動して乗りかご１１内の空気清浄を行うことで、ペット連れの利用者が目的階で降た後に他の利用者が乗りかご１１に乗り込だとしても、ペットの臭いが消えており、不快感を与えずに済む。
【００４０】
（第２の実施形態）
次に、本発明の第２の実施形態について説明する。
【００４１】
なお、乗りかご１１や乗り場２１の構成、エレベータの全体構成については上記第１の実施形態（図１乃至図３）と同様であり、また、ペット運転灯２５の点灯処理についても上記第１の実施形態（図４）と同様であるため、ここでは空気清浄装置１９の駆動処理についてのみ説明する。
【００４２】
第２の実施形態では、上記第１の実施形態のようにペット運転灯２５が点灯している間、空気清浄装置１９を連続的に駆動するのではなく、ペット連れの利用者が乗った乗りかご１１が目的階に近くなったときに空気清浄装置１９の駆動を開始して、そして、その目的階で乗りかご１１のかごドア１２を戸閉完了した時点で空気清浄装置１９の駆動を停止することを特徴とするものである。
【００４３】
図６は本発明の第２の実施形態におけるエレベータの空気清浄装置１９の駆動処理を示すフローチャートである。
【００４４】
今、図４で説明したように、ペット連れの利用者が乗りかご１１に乗り込み、操作パネル１３に設けられたペット釦１７を押下すると共に所定時間内に行先階釦１６を押下して、各階の乗り場２１に設けられたペット運転灯２５が点灯したものとする。
【００４５】
図６に示すように、制御装置３１はペット運転灯２５の点灯後（ステップＣ１１）、ペット連れ利用者を乗せた乗りかご１１を目的階へ移動させる。そして、目的階の手前で乗りかご１１の減速を開始したときに（ステップＣ１２のＹｅｓ）、空気清浄装置１９に対して駆動信号を出力して乗りかご１１内の空気清浄を開始する（ステップＣ１２）。なお、乗りかご１１の減速開始時期については、そのときの乗りかご１１の運転速度、走行距離などによって決められる。
【００４６】
ここで、制御装置３１は、乗りかご１１が目的階に到着した後、かごドア１２の戸開によりペット連れ利用者がそこで降り、戸閉を完了したことを確認すると（ステップＣ１４のＹｅｓ）、空気清浄装置１９に対して駆動停止信号を出力して空気清浄装置１９の空気清浄動作を停止する（ステップＣ１５）。
【００４７】
このように、ペット運転灯２５が点灯した場合に、乗りかご１１が目的階に向かって減速を開始したときに空気清浄装置１９を駆動して空気清浄を開始し、そして、目的階に到着して戸閉完了した時点で空気清浄装置１９の駆動を停止することでも、上記第１の実施形態と同様に、乗りかご１１内に残っているペットの臭いを消して、後から乗車する他の利用者に不快感を与えずに済む。
【００４８】
また、乗りかご１１が目的階に近づいたときに空気清浄を開始することで、乗りかご１１が動き出したときから空気清浄を行う場合に比べて、無駄な電力消費を抑えて効率的にペット臭を消臭することができる。
【００４９】
（第３の実施形態）
次に、本発明の第３の実施形態について説明する。
【００５０】
第３の実施形態についても、乗りかご１１や乗り場２１の構成、エレベータの全体構成については上記第１の実施形態（図１乃至図３）と同様であり、また、ペット運転灯２５の点灯処理についても上記第１の実施形態（図４）と同様であるため、ここでは空気清浄装置１９の駆動処理についてのみ説明する。
【００５１】
第３の実施形態では、上記第１の実施形態のようにペット運転灯２５が点灯している間、空気清浄装置１９を連続的に駆動するのではなく、ペット連れの利用者が乗った乗りかご１１が目的階で戸開中の間だけ、空気清浄装置１９を駆動して空気清浄を行うことを特徴とするものである。
【００５２】
図７は本発明の第３の実施形態におけるエレベータの空気清浄装置１９の駆動処理を示すフローチャートである。
【００５３】
今、図４で説明したように、ペット連れの利用者が乗りかご１１に乗り込み、操作パネル１３に設けられたペット釦１７を押下すると共に所定時間内に行先階釦１６を押下して、各階の乗り場２１に設けられたペット運転灯２５が点灯したものとする。
【００５４】
図７に示すように、制御装置３１はペット運転灯２５の点灯後（ステップＤ１１）、ペット連れ利用者を乗せた乗りかご１１を目的階へ移動させる。そして、乗りかご１１が目的階に到着したときに（ステップＤ１２のＹｅｓ）、乗りかご１１のかごドア１２を戸開してペット連れ利用者を降ろす（ステップＤ１３）。
【００５５】
ここで、第３の実施形態では、目的階で戸開したときに（ステップＤ１３のＹｅｓ）、制御装置３１は空気清浄装置１９に対して駆動信号を出力して乗りかご１１内の空気清浄を開始する（ステップＤ１４）。この空気清浄装置１９による清浄動作は戸開している間だけであり、かごドア１２の戸閉を完了したとき（ステップＤ１３のＮｏ）、制御装置３１は空気清浄装置１９に対して駆動停止信号を出力して空気清浄装置１９の空気清浄動作を停止する（ステップＤ１５）。
【００５６】
このように、目的階で戸開している間に空気清浄を行うことでも、無駄な電力を抑えてペット臭を消臭することができる。ただし、目的階で戸開している時間が短いため、空気清浄装置１９として瞬間消臭能力の高いものを使用することが好ましい。
【００５７】
また、乗りかご１１の戸開時間を通常（ペット釦１７が押されたなかった場合）よりも長めに設定して、その設定時間に合わせて空気清浄を行うことでも良い。その際、例えば「ただ今、空気清浄中です。しばらくお待ち下さい」といったようなアナウンスを乗り場２１のスピーカ２６から出力して、他の利用者が乗りかご１１に乗り込むことを少しの間待たせるようにしても良い。なお、このときの通知手段としては、音声出力の他に、表示画面にその旨のメッセージを表示することでも良い。
【００５８】
（第４の実施形態）
次に、本発明の第４の実施形態について説明する。
【００５９】
第４の実施形態についても、乗りかご１１や乗り場２１の構成、エレベータの全体構成については上記第１の実施形態（図１乃至図３）と同様であり、また、ペット運転灯２５の点灯処理についても上記第１の実施形態（図４）と同様であるため、ここでは空気清浄装置１９の駆動処理についてのみ説明する。
【００６０】
第４の実施形態では、上記第１の実施形態のようにペット運転灯２５が点灯している間、空気清浄装置１９を連続的に駆動するのではなく、ペット連れの利用者が乗った乗りかご１１が目的階で戸閉完了から所定時間だけ、空気清浄装置１９を駆動して空気清浄を行うことを特徴とするものである。
【００６１】
図８は本発明の第４の実施形態におけるエレベータの空気清浄装置１９の駆動処理を示すフローチャートである。
【００６２】
今、図４で説明したように、ペット連れの利用者が乗りかご１１に乗り込み、操作パネル１３に設けられたペット釦１７を押下すると共に所定時間内に行先階釦１６を押下して、各階の乗り場２１に設けられたペット運転灯２５が点灯したものとする。
【００６３】
図８に示すように、制御装置３１はペット運転灯２５の点灯後（ステップＥ１１）、ペット連れ利用者を乗せた乗りかご１１を目的階へ移動させる。そして、乗りかご１１が目的階に到着したときに、そこで乗りかご１１のかごドア１２を戸開してペット連れ利用者を降ろす（ステップＥ１２）。
【００６４】
ここで、第３の実施形態では、目的階で戸閉完了したときに（ステッＥ１２のＹｅｓ）、制御装置３１はその戸閉状態を所定時間（例えば５秒間）だけ維持しておき（ステップＥ１３）、その間に空気清浄装置１９に対して駆動信号を出力して乗りかご１１内の空気清浄を行う（ステップＥ１４）。
【００６５】
その際、例えば「ただ今、空気清浄中です。しばらくお待ち下さい」といったようなアナウンスを乗り場２１のスピーカ２６から出力して、乗り場２１で待つ他の利用者に空気清浄のために戸閉している旨を通知するようにしても良い（ステップＥ１５）。なお、このときの通知手段としては、音声出力の他に、表示画面にその旨のメッセージを表示することでも良い。
【００６６】
所定時間が経過したら（ステップＥ１６のＹｅｓ）、制御装置３１は戸閉状態を解除し、そのときに空気清浄装置１９に対して駆動停止信号を出力して空気清浄装置１９の空気清浄動作を停止する（ステップＥ１７）。
【００６７】
このように、目的階に着いたら所定の時間だけ戸閉状態を維持して、その間に空気清浄を行うことでも、無駄な電力を抑えてペット臭を消臭することができる。ただし、あまり長い間、戸閉状態を維持しておくと他の利用者に迷惑がかかるため、空気清浄装置１９として瞬間消臭能力の高いものを使用して、早めに消臭して戸閉状態を解除することが望ましい。
【００６８】
なお、上記各実施形態では、１台の空気清浄装置１９を用いて乗りかご１１内を消臭する場合を想定して説明したが、複数台の空気清浄装置１９を用いて、これらを同時駆動して速やかにペット臭を消臭したり、臭いのレベルをセンサ等により検知して、その臭いレベルに合わせて段階的に清浄動作を行う構成も可能である。
【００６９】
また、各階の乗り場２１では、ペット運転灯２５の点灯によりペットが乗車していることを知らしめるようにしたが、例えば表示画面を設置しておき、そこに「ペットが乗っています」といったようなメッセージを表示して、ペットが乗車している状態を表示することでも良い。
【００７０】
要するに、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除しても良い。さらに、異なる実施形態にわたる構成要素を適宜組み合わせても良い。
【図面の簡単な説明】
【００７１】
【図１】本発明の第１の実施形態におけるエレベータに用いられる乗りかご内の構成を示す図。
【図２】同実施形態におけるエレベータの乗り場の構成を示す図。
【図３】同実施形態におけるエレベータの全体構成を示す図。
【図４】同実施形態におけるエレベータの動作を示すフローチャートであり、乗り場に設けられたペット運転灯の点灯処理を示すフローチャート。
【図５】同実施形態におけるエレベータの乗りかごに設けられた空気清浄装置の駆動処理を示すフローチャート。
【図６】本発明の第２の実施形態におけるエレベータの空気清浄装置の駆動処理を示すフローチャート。
【図７】本発明の第３の実施形態におけるエレベータの空気清浄装置の駆動処理を示すフローチャート。
【図８】本発明の第４の実施形態におけるエレベータの空気清浄装置の駆動処理を示すフローチャート。
【符号の説明】
【００７２】
１１…乗りかご、１２…かごドア、１３…操作パネル、１４…戸開釦、１５…戸閉釦、１６…行先階釦、１７…ペット釦、１８…照明器具、１９…空気清浄装置、１９ａ…清浄口１９、２１…乗り場、２２…乗り場ドア、２３…操作パネル、２４…乗り場呼び釦、２５…ペット運転灯、２６…スピーカ、３１…制御装置、３２…巻上機、３３…メインロープ、３４…カウンタウェイト、３５…昇降路。
【図１】
2005255276.tif 000003
【図２】
2005255276.tif 000004
【図３】
2005255276.tif 000005
【図４】
2005255276.tif 000006
【図５】
2005255276.tif 000007
【図６】
2005255276.tif 000008
【図７】
2005255276.tif 000009
【図８】
2005255276.tif 000010